(57)【要約】【課題】  必要に応じて容易に鏡面部の汚れを拭き取ることができる化粧用パフを提供する。【解決手段】  化粧用パフ２０は、パフ本体部２１と、前記パフ本体部２１の一面に接合される、拭き取り対象物である化粧用具１０の鏡面部１４の汚れを拭き取る機能を有する払拭シート体２４との組み合わせからなる。コンパクトなどの化粧用具に付設された鏡面部が、化粧品成分や粉末などあるいは使用者の指紋などで汚れている場合、払拭シート体２４をパフ本体部２１から取り外して拭くことができる。あるいは、パフ本体部２１に接着又は縫製した払拭シート体２４を用いて、鏡面部を拭くことができる。【選択図】  図１
0003192715.tif 000002
【実用新案登録請求の範囲】
【請求項１】
パフ本体部と、
前記パフ本体部の一面に接合される、拭き取り対象物である化粧用具の鏡面部の汚れを拭き取る機能を有する払拭シート体と、
の組み合わせからなる化粧用パフ。
【請求項２】
前記払拭シート体が、前記パフ本体部の一面に、吸着、粘着又は接着により積層されている請求項１記載の化粧用パフ。
【請求項３】
前記パフ本体部が、指挿入部を備えると共に、前記払拭シート体が、前記指挿入部の表面に吸着、粘着又は接着により積層されている請求項１又は２に記載の化粧用パフ。
【請求項４】
前記払拭シート体が、前記パフ本体部に縫製により固定され、指挿入部として機能する請求項１記載の化粧用パフ。
【請求項５】
前記パフ本体部が、指挿入部を備えると共に、前記払拭シート体が、前記指挿入部の表面に縫製により固定されている請求項１又は４に記載の化粧用パフ。
【請求項６】
前記払拭シート体が、０．００１〜０．６デシテックスの超極細繊維布からなる請求項１〜５のいずれか１に記載の化粧用パフ。
【請求項７】
鏡面部が付設されていると共に，請求項１〜６のいずれか１に記載の化粧用パフを保持する保持スペースを有する化粧用具。
【考案の詳細な説明】
【技術分野】
【０００１】
本考案は、化粧用パフ及び化粧用具に関し、より詳細には、必要に応じて容易に鏡面部の汚れを拭き取ることができる化粧用パフ及び化粧用具に関する。
【背景技術】
【０００２】
従来の化粧用パフ等の化粧用具においては、指を挿入するための指挿入用帯が設けられており、これらは一般的には編織物で構成されている。
【０００３】
しかし、指挿入用帯が編織物の場合、汚れやすく、汚れると簡単には汚れを落とすことができなかったり、洗濯すると生地が痛んだりするという問題があった。また、このように編織物で構成する場合には、デザイン性が制限されるという問題があった。
【０００４】
このため、例えば、特許文献１に示すような化粧用パフ及び化粧用具が提案されている。特許文献１に示す化粧用パフ及び化粧用具は、袋体にスポンジ等のクッション体を封入したパフ本体と、指挿入用帯とからなる化粧用パフと、この化粧用パフを収容するコンパクトと、から構成されるものであり、このうち指挿入用帯は、パフ本体に縫着により接着され、パフ本体に架け渡された形態をなしている。
【０００５】
この指挿入用帯には、ポリウレタンを成型して構成したシートが使用されている。ポリウレタン成型シートは、防汚性、汚れ落ち性に優れ、耐洗濯性に優れているため、指挿入用帯が、汚れにくく、汚れても簡単に汚れを落とせ、しかも、洗濯しても痛まない。また、このような成型シートを使用するとデザイン性を持たせることができる、とされている。
【先行技術文献】
【特許文献】
【０００６】
【特許文献１】実用新案登録第３１０６９０４号公報
【考案の概要】
【考案が解決しようとする課題】
【０００７】
しかしながら、従来の化粧用パフ及び化粧用具によれば、指挿入用帯自体は汚れには強いものの、例えば、鏡面部に粉末や指紋がついたりして汚れてしまった場合に、指挿入用帯では、鏡面部の汚れは拭くことができず、使用者がティッシュやハンカチで拭き取る以外になく、拭いてもきれいにその汚れを取り除くことができないという課題があった。
【０００８】
本考案は上記に鑑みなされたものであり、必要に応じて容易に鏡面部の汚れを拭き取ることができる化粧用パフ及び化粧用具を提供することを課題とする。
【課題を解決するための手段】
【０００９】
上記課題を解決するため、本考案の化粧用パフは、パフ本体部と、前記パフ本体部の一面に接合される、拭き取り対象物である化粧用具の鏡面部の汚れを拭き取る機能を有する払拭シート体との組み合わせからなることを特徴とする。
【００１０】
前記払拭シート体が、前記パフ本体部の一面に、吸着、粘着又は接着により積層されていることが好ましい。前記パフ本体部が、指挿入部を備えると共に、前記払拭シート体が、前記指挿入部の表面に吸着、粘着又は接着により積層することもできる。前記払拭シート体が、前記パフ本体部に縫製により固定され、指挿入部として機能する構成とすることもできる。前記パフ本体部が、指挿入部を備えると共に、前記払拭シート体が、前記指挿入部の表面に縫製により固定することもできる。前記払拭シート体が、０．００１〜０．６デシテックスの超極細繊維布からなることが好ましい。
【００１１】
また、本考案の化粧用具は、前記化粧用パフを保持する保持スペースを有する化粧用具を提供することを特徴とする。
【考案の効果】
【００１２】
本考案によれば、パフ本体部に、拭き取り機能を有する払拭シート体が接合されている。従って、コンパクトなどの化粧用具に付設された鏡面部が、化粧品成分や粉末などあるいは使用者の指紋などで汚れている場合、払拭シート体をパフ本体部から取り外して拭くことができる。あるいは、パフ本体部に接着又は縫製した払拭シート体を用いて、鏡面部を拭くことができる。
化粧用具は使用者に携帯されることが多いが、払拭シート体がパフ本体部に保持されていることによって、払拭シート体も、汚れが付着しやすい化粧用具と共に常時携帯することができ、汚れを拭き取る必要が生じた場合に速やかに拭き取り作業を行うことができる。上記のように、従来の超極細繊維布からなる拭き取り具は電子機器への用途が多かったが、本考案によれば、超極細繊維布を有してなる払拭シート体の新たな用途を提供することができる。
【図面の簡単な説明】
【００１３】
【図１】本考案の一の実施形態に係る化粧用パフとそれを収容する化粧用具を示す斜視図である。
【図２】図２は、化粧用パフに取り付けられる払拭シート体の構成を示す断面図である。
【図３】図３は、本考案の他の実施形態に係る化粧用パフを示す斜視図である。
【図４】図４（ａ），（ｂ）は、本考案の上記各実施形態に係る化粧用パフにおいて、払拭シート体を帯状体又は袋状体に接着により接合した態様を示す図である。
【図５】図５（ａ），（ｂ）は、本考案の上記各実施形態に係る化粧用パフにおいて、払拭シート体をパフ本体部の一面に直接縫製により固定した態様を示す図である。
【図６】図６（ａ），（ｂ）は、本考案の上記各実施形態に係る化粧用パフにおいて、払拭シート体をパフ本体部の帯状体又は袋状体に縫製により固定した態様を示す図である。
【図７】本考案のさらに他の実施形態に係る化粧用パフそれを収容する化粧用具を示す斜視図である。
【考案を実施するための形態】
【００１４】
以下、図面に示した実施形態に基づき本考案をさらに詳細に説明する。
図１は、本実施形態の化粧用パフを収容する化粧用具を示す斜視図である。
本実施形態の化粧用具１０としては、コンパクトケースがある。図１に示すように、コンパクトケース１０は、ファンデーションなどの化粧品１２を収納するケース本体部１１と、前記ケース本体部１１に対してヒンジ１５にて軸支されて開閉する蓋部１３と、からなる。
【００１５】
ケース本体部１１は、図１に示すように、上面開口で浅型の直方体形状に形成されている。
また、蓋部１３は、例えば、１２０度位の開閉角度で回転するように形成しているが、特に限定されない。さらに、蓋部１３は内側に鏡面部１４を備えており、蓋部１３とケース本体部１１は、例えば凹凸で嵌合するように形成している。また、ケース本体部１１及び蓋部１３は、プラスチックや金属などの材料で構成される。また、非使用時に蓋部１３を閉じたケース本体部１１は、化粧用パフ２０を保持する保持スペースを有している。
【００１６】
本実施形態の化粧用パフ２０は、パフ本体部２１と、前記化粧用具１０の鏡面部１４の汚れを拭き取る機能を有する払拭シート体２４との組み合わせからなる。
パフ本体部２１は、例えば、少し厚みのある綿の芯を布で包んで丸い形に形成し、クッション性を有する。また、パフ本体部２１の上面には、図１に示すように、指を挿入するための帯状体２２が形成されている。
【００１７】
払拭シート体２４は、鏡面部１４の表面に付着した化粧品の成分や粉末、手指の脂等の汚れや指紋などを拭き取るためのものである。
【００１８】
図２は、この払拭シート体２４の構成を示す図である。
この払拭シート体２４は、薄い樹脂フイルム２０１の片面に汚れの拭き取り性を有する超極細繊維布２０２が積層されたものであり、他面には吸着性を有する接合層としてのポリマーシート２０３が積層されている。このポリマーシート２０３部分が、帯状体２２に貼着される。
【００１９】
この払拭シート体２４の超極細繊維布は、繊維の一本一本が、１．１デシテックス以下、好ましくは、０．００１〜０．６デシテックスの超極細繊維布より構成され、また繊維の断面形状が円形ではなく例えば三角形であり、得られた布は特に力を加えなくとも汚れを確実に吸収し拭き残しも少ない。さらに、不織布であれば、裁断や打ち抜き加工などを行なっても、寸法の安定性に優れ布目のほつれや繊維屑の埃などが発生し難い。
【００２０】
超極細繊維２０２の布の例としては、カネボウ合繊株式会社製のベルーマＸを原糸として用いた織物ザウイーナミニマックスが挙げられる。さらに、超極細繊維の不織布の例としては、日本バイリーン社製のバイフレッシャー、アポロン並びに同社製の静電除去機能を併せ持つ「電気とーる」などが上げられる。
【００２１】
一方、ポリマーシート２０３は接合層２５を構成するものであり、表面に微細気泡を有するアクリル製のポリマーシートである。このポリマーシート２０３は表面の微細気泡が吸盤のように働いて、平滑な相手面に吸着する。このようなポリマーシートの例としては、大成ラミネーター株式会社製のセロピー５５５が挙げられる。ポリマーシート２０３の厚みは、特に限定されるものではないが、厚いほど接着力が良い。
【００２２】
樹脂フイルム２０１の材料は特に限定されるものではないが、例えば、ポリエステルフィルム、ポリアミドフィルム、ポリエチレンテレフタレートフィルム、ナイロンフイルムなどを用いることができる。樹脂フイルム２０１は、払拭シート体２４に耐久性（強度）を与えるために必要である。
【００２３】
このように構成される払拭シート体２４は、上記のパフ本体部２１の帯状体２２の一面に接合して用いられる。その接合方法は、払拭シート体２４を積層する対象物となる帯状体２２と同じ形状および大きさに形成し、吸着、粘着又は接着により帯状体２２に接合する。この際、帯状体２２が樹脂からなる場合には、払拭シート体２４の接合層２５は、帯状体２２の表面に付着でき、使用の際に払拭シート体２４を剥離して使用し、使用後、再び帯状体２２の表面に付着できる。
【００２４】
帯状体２２が布地の場合、この布地の表面に樹脂層を形成すると、払拭シート体２４の接合層２５は、帯状体２２の表面に付着でき、また、使用の際に払拭シート体２４を剥離して使用し、使用後、再び帯状体２２の表面に付着できる。
【００２５】
図３は、化粧用パフの他の例を示す図である。
図１と同じ内容については同じ符号を付したので重複する説明は省略するが、図に示すように、この例では、図１に示した指挿入用帯に代えて指を挿入するための袋状体２３が形成されている。
この場合においても、払拭シート体２４を、積層する対象物となる袋状体２３と同じ形状および大きさに形成するようにしてもよい。該払拭シート体２４の裏面に接合層２５を設けることによって、袋状体２３の表面に、吸着、粘着又は接着することができる。
【００２６】
図４は、払拭シート体を接着により接合した状態を示す図である。
図４（ａ），（ｂ）に示すように、帯状体２２や袋状体２３が布地のままの場合、払拭シート体２４を帯状体２２又は袋状体２３の表面に、接着により接合する。この場合、払拭シート体２４を帯状体２２又は袋状体２３の表面から剥離して使用することができないが、払拭シート体２４が手のひら側になるように帯状体２２又は袋状体２３に指を挿入し、払拭シート体２４を使用して鏡面部１４の汚れを落とすことができる。
【００２７】
図５は、払拭シート体をパフ本体部の一面に直接縫製により固定した状態を示す図である。
図５（ａ）に示すように、前述の帯状体２２の代わりに払拭シート体２４を用いて指を挿入するための帯状体に形成すべく、パフ本体部２１に縫製して固定する。図５（ａ）では縫製した箇所を縫製部２６として点線で図示している。あるいは、図５（ｂ）に示すように、前述の袋状体２３の代わりに払拭シート体２４を用いて指を挿入するための袋状体に形成すべく、パフ本体部２１に縫製して固定する。図５（ｂ）では縫製した箇所を縫製部２６として点線で図示している。この場合は、払拭シート体２４が手のひら側になるように帯状体又は袋状体に形成した払拭シート体２４に指を挿入し、前記払拭シート体２４を使用して鏡面部１４の汚れを落とすことができる。
【００２８】
図６は、パフ本体部の一面に払拭シート体を接合した状態を示す図である。
図６（ａ）に示すように、パフ本体部２１における前述の帯状体２２に払拭シート体２４を縫付ける。図６（ａ）では縫製した箇所を縫製部２６として点線で図示している。あるいは、図６（ｂ）に示すように、パフ本体部２１における前述の袋状体２３に払拭シート体２４を縫付ける。図６（ｂ）では縫製した箇所を縫製部２６として点線で図示している。この場合は、上記と同様に、払拭シート体２４が手のひら側になるように帯状体２２又は袋状体２３に指を挿入し、払拭シート体２４を使用して鏡面部１４の汚れを落とすことができる。
【００２９】
図７は、化粧用パフとこの化粧用パフを収容する化粧用具の他の例を示す図である。
図７に示すように、パフ本体部２１はスポンジのみからなり、前述の指を挿入するための帯状体２２や袋状体２３は形成されていない。この場合、払拭シート体２４は、パフ本体部２１の一面に接合して用いる。接合方法は、粘着又は接着等を採用することができるがこれに限定されるものではない。
【００３０】
また、この化粧用具は、ケース本体部１１が、２種類の化粧品１２を収納する構成である。あるいは、ケース本体部１１が、浅型の円筒形状に形成されていても良く、大きさや形状等は特に限定されない。
【００３１】
以上のことから、本実施形態によれば、化粧用具１０の蓋部１３の内側の鏡面部１４が、化粧品成分や粉末などあるいは使用者の指紋などで汚れた場合、払拭シート体２４をパフ本体部２１から取り外して鏡面部１４を拭くことができる。あるいは、パフ本体部２１に接着又は縫製した払拭シート体２４を化粧用具１０から取り出してから、前記払拭シート体２４を用いて鏡面部１４を拭くことができる。
化粧用具１０は使用者に携帯されることが多いが、払拭シート体２４がパフ本体部２１に保持されていることによって、払拭シート体２４も、汚れが付着しやすい化粧用具１０と共に常時携帯することができる。したがって、汚れを拭き取る必要が生じた場合は速やかに拭き取り作業を行うことができる。
【００３２】
なお、払拭シート体２４の超極細繊維２０２の表面に昇華式印刷で企業名や商品名、広告などを印刷すれば、払拭シート体２４は宣伝頒布用の媒体としても利用することができる。
【符号の説明】
【００３３】
１０ 化粧用具
１１ ケース本体部
１２ 化粧品
１３ 蓋部
１４ 鏡面部
１５ ヒンジ
２０ 化粧用パフ
２１ パフ本体部
２２ 帯状体
２３ 袋状体
２４ 払拭シート体
２５ 接合層
２６ 縫製部
【図１】
0003192715.tif 000003
【図２】
0003192715.tif 000004
【図３】
0003192715.tif 000005
【図４】
0003192715.tif 000006
【図５】
0003192715.tif 000007
【図６】
0003192715.tif 000008
【図７】
0003192715.tif 000009